(57)【要約】本発明による発光モジュールは、本体と、誘導電流が発生するように前記本体に構成された誘導電流発生部、及び前記誘導電流発生部と電気的に連携して前記誘導電流によって光を発する発光部とを含む。また、本発明による自給電源式発光疑餌針は、発光モジュールが内部に具備された釣り針本体、及び前記釣り針本体の下部に装着された釣り針を含み、他の実施例として釣り針本体と、前記釣り針本体の下部に装着された釣り針、及び前記釣り針本体の上部または前記釣り針の下部に設置された発光モジュールとを含む。このような本発明は、発光部に必要な電源を誘導電流発生部から誘導電流として供給を受けることで、消耗する電池のような別途の部品なしでも誘導電流形態で半永久的に電源の供給を受けることができる。併せて、使用する過程でも消耗したり故障による電池交換のような煩わしさから解放されて容易に使用することができる。
2013534420.tif 000002
【特許請求の範囲】
【請求項１】
本体と、誘導電流が発生するように前記本体に構成された誘導電流発生部、及び前記誘導電流発生部と電気的に連携して前記誘導電流によって光を発する発光部とを含むことを特徴とする発光モジュール。
【請求項２】
前記誘導電流発生部が、前記本体内に配置された磁石移動管と、前記磁石移動管の外部に設置されたコイル、及び前記磁石移動管に沿ってその内部で移動する移動磁石とを含むことを特徴とする、請求項１に記載の発光モジュール。
【請求項３】
前記誘導電流発生部が、移動する前記移動磁石が反発するように前記磁石移動管内の端部に装着された反発ゴムをさらに含むことを特徴とする、請求項２に記載の発光モジュール。
【請求項４】
前記誘導電流発生部が、移動する前記移動磁石を斥力によって押し返すように前記磁石移動管内の端部に装着された固定磁石をさらに含むことを特徴とする、請求項２に記載の発光モジュール。
【請求項５】
前記誘導電流発生部が、移動する前記移動磁石が反発するように前記磁石移動管内の一端部に装着された反発ゴム、及び移動する前記移動磁石を斥力によって押し返すように前記磁石移動管内の他端部に装着された固定磁石とをさらに含むことを特徴とする、請求項２に記載の発光モジュール。
【請求項６】
前記発光部が、ＬＥＤ素子で構成されることを特徴とする、請求項１ないし請求項５のうちのいずれか一項に記載の発光モジュール。
【請求項７】
前記磁石移動管の両端部に対応する前記本体の両端部各々には、釣糸または疑餌針が連結されるように連結用の輪が形成されることを特徴とする、請求項１ないし請求項５のうちのいずれか一項に記載の発光モジュール。
【請求項８】
発光モジュールが内部に具備された釣り針本体、及び前記釣り針本体の下部に装着された釣り針を含むことを特徴とする自給電源式発光疑餌針。
【請求項９】
前記発光モジュールが、誘導電流が発生するように前記釣り針本体に構成される誘導電流発生部、及び前記誘導電流発生部と電気的に連携されて前記誘導電流によって光を発する発光部を含むことを特徴とする、請求項８に記載の自給電源式発光疑餌針。
【請求項１０】
前記誘導電流発生部が、前記釣り針本体内に配置された磁石移動管と、前記磁石移動管の外部に設置されたコイル、及び前記磁石移動管に沿ってその内部で移動する移動磁石とを含むことを特徴とする、請求項９に記載の自給電源式発光疑餌針。
【請求項１１】
釣り針本体と、前記釣り針本体の下部に装着された釣り針、及び、前記釣り針本体の上部または前記釣り針の下部に設置された発光モジュールとを含むことを特徴とする自給電源式発光疑餌針。
【請求項１２】
前記発光モジュールが、本体と、誘導電流が発生するように前記本体に構成された誘導電流発生部、及び前記誘導電流発生部と電気的に連携して前記誘導電流によって光を発する発光部とを含むことを特徴とする、請求項１１に記載の自給電源式発光疑餌針。
【請求項１３】
前記誘導電流発生部が、前記本体内に配置された磁石移動管と、前記磁石移動管の外部に設置されたコイル、及び前記磁石移動管に沿ってその内部で移動する移動磁石とを含むことを特徴とする、請求項１２に記載の自給電源式発光疑餌針。
【請求項１４】
前記誘導電流発生部が、移動する前記移動磁石が反発するように前記磁石移動管内の端部に装着された反発ゴムをさらに含むことを特徴とする、請求項１０または請求項１３に記載の自給電源式発光疑餌針。
【請求項１５】
前記誘導電流発生部が、移動する前記移動磁石を斥力によって押し返すように前記磁石移動管内の端部に装着された固定磁石をさらに含むことを特徴とする、請求項１０または請求項１３に記載の自給電源式発光疑餌針。
【請求項１６】
前記誘導電流発生部が、移動する前記移動磁石が反発するように前記磁石移動管内の一端部に装着された反発ゴム、及び移動する前記移動磁石を斥力によって押し返すように前記磁石移動管内の他端部に装着された固定磁石をさらに含むことを特徴とする、請求項１０または請求項１３に記載の自給電源式発光疑餌針。
【請求項１７】
前記発光部が、ＬＥＤ素子で構成されることを特徴とする、請求項９または請求項１２に記載の自給電源式発光疑餌針。
【発明の詳細な説明】
【技術分野】
【０００１】
本発明は、発光モジュール及びそれを具備した自給電源式発光疑餌針であって、操業中に自ら電源を発生させて発生した電源で発光する発光モジュール及びそれを具備した自給電源式発光疑餌針に関するものである。
【背景技術】
【０００２】
イカを取る主な方法には、疑餌針漁法がある。疑餌針漁法は、イカを捕る釣針である疑餌針を釣り糸に一定間隔で連結して、釣り糸を自動釣獲機という糸繰りのような器機に巻いておいて、自動釣獲機がそれを垂直に上下させながら疑餌針に飛びつくイカを捕るものである。このような作業のためには、まず集魚灯を明るく照らして遠距離にいるイカを誘集しなければならない。
【０００３】
イカは光に敏感な反応をするので、従来はこのような特性を用いて疑餌針が光を発光するようにしてイカが疑餌針に容易に接近するようにする技術が使用された。
【０００４】
疑餌針で光を発光させるのに初めて使用された方法は、疑餌針の本体を燐光または夜光で製作することであり、燐光の場合は効果が落ち、夜光の場合は価格が高いという短所がある。
【０００５】
ここで、燐光は光を吸収してから一定時間光を発光するもので、夜光は光を照らさなくても一定期間光を発光するものである。
【０００６】
疑餌針が光を発光するようにその次に使用された方法は、疑餌針の中に小型電池と電球を入れて輝くようにしたものであり、効果はあることは知られているが電池の交換が不便でありそれによる故障がひんぱんに起きるという短所がある。
【発明の概要】
【発明が解決しようとする課題】
【０００７】
本発明は、前記のような問題点を解決するために創案されたもので、操業中に自ら電源を発生させて発生した電源で発光する発光モジュール及びそれを具備した自給電源式発光疑餌針を提供することにその目的がある。
【課題を解決するための手段】
【０００８】
前記のような目的を達成するために、本発明の好ましい実施例による発光モジュールは、本体と、誘導電流が発生するように前記本体に構成される誘導電流発生部、及び前記誘導電流発生部と電気的に連携して前記誘導電流によって光を発する発光部とを含む。
【０００９】
ここで、前記誘導電流発生部は、前記本体内に配置された磁石移動管と、前記磁石移動管の外部に設置されたコイル、及び前記磁石移動管に沿ってその内部で移動する移動磁石とを含むことが好ましい。
【００１０】
また、前記誘導電流発生部は、移動する前記移動磁石が反発するように前記磁石移動管内の端部に装着された反発ゴムをさらに含むことが好ましい。
【００１１】
併せて、前記誘導電流発生部は、移動する前記移動磁石を斥力によって押し返すように前記磁石移動管内の端部に装着された固定磁石をさらに含むことが好ましい。
【００１２】
ここで、前記誘導電流発生部は、移動する前記移動磁石が反発するように前記磁石移動管内の一端部に装着された反発ゴム、及び移動する前記移動磁石を斥力によって押し返すように前記磁石移動管内の他端部に装着された固定磁石をさらに含むことができる。
【００１３】
一方、前記発光部は、ＬＥＤ素子で構成することが好ましい。
【００１４】
さらに、前記磁石移動管の両端部に対応する前記本体の両端部各々には、釣糸または疑餌針を連結できるように、連結用の輪を形成することが好ましい。
【００１５】
本発明の他の側面によると、発光モジュールを内部に具備した釣り針本体、及び前記釣り針本体の下部に装着された釣り針を含む自給電源式発光疑餌針を提供する。
【００１６】
ここで、前記発光モジュールは、誘導電流が発生するように前記釣り針本体に構成される誘導電流発生部、及び前記誘導電流発生部と電気的に連携して前記誘導電流によって光を発する発光部を含むことが好ましい。
【００１７】
ここで、前記誘導電流発生部は、前記釣り針本体内に配置された磁石移動管と、前記磁石移動管の外部に設置されたコイル、及び前記磁石移動管に沿ってその内部で移動する移動磁石とを含むことが好ましい。
【００１８】
また、本発明の他の実施例による自給電源式発光疑餌針は、釣り針本体と、前記釣り針本体の下部に装着された釣り針、及び前記釣り針本体の上部または前記釣り針の下部に設置された発光モジュールとを含む。
【００１９】
ここで、前記発光モジュールは、本体と、誘導電流が発生するように前記本体に構成される誘導電流発生部、及び前記誘導電流発生部と電気的に連携して前記誘導電流によって光を発する発光部とを含む。
【００２０】
ここで、前記誘導電流発生部は、前記本体内に配置された磁石移動管と、前記磁石移動管の外部に設置されたコイル、及び前記磁石移動管に沿ってその内部で移動する移動磁石とを含むことが好ましい。
【発明の効果】
【００２１】
本発明による発光モジュール及びそれを具備した自給電源式発光疑餌針は、発光部に必要な電源を誘導電流発生部から誘導電流として供給を受けることで、消耗する電池のような別途の部品なしで、誘導電流形態で半永久的に電源の供給を受けることができる。併せて、使用する過程でも消耗したり故障による電池交換のような煩わしさから開放されて、容易に使用することができるという効果を有する。
【図面の簡単な説明】
【００２２】
【図１】本発明の好ましい実施例による発光モジュールを示した図である。
【図２】本発明の好ましい実施例による自給電源式発光疑餌針を示した図である。
【図３】本発明の好ましい他の実施例による自給電源式発光疑餌針を示した図である。
【発明を実施するための形態】
【００２３】
図１は、本発明の好ましい実施例による発光モジュールを示した図である。
【００２４】
図を参照すると、本発明の発光モジュール１０は、本体１０、及び前記本体１０に構成される誘導電流発生部４０と発光部６０とを含む。
【００２５】
前記本体１０は、後述する誘導電流発生部４０と発光部６０が適正に内蔵されるようにその形状を形成し、同時に疑餌針１００と連結したり疑餌針に設置したりして活用できるようにその構造を形成することができる。
【００２６】
また、前記誘導電流発生部４０は、本体１０内に誘導電流が発生するように構成される。
【００２７】
このような誘導電流発生部４０は、磁石移動管４２及び、前記磁石移動管４２に設置されるコイル４４と移動磁石４６とを具備する。
【００２８】
前記磁石移動管４２は、本体１０内に配置され、釣り過程で疑餌針１００の上下動に対応するように上下方向に長く形成される。
【００２９】
このような磁石移動管４２の外部には、コイル４４が設置される。ここでのコイル４４は、磁石移動管４２を取り巻くように構成され、さらには移動磁石４６の動きによって誘導電流が発生するように適正な配置及び構造を成すことができることはもちろんである。
【００３０】
そして、前記移動磁石４６は、磁石移動管４２に沿ってその内部で移動するように配置される。すなわち、磁石移動管４２の内部に位置して磁石移動管４２の長さ方向に沿って適切にスライドして柔らかく移動する構造を有する。同時にその大きさ及び形状は、上述した誘導電流の発生を成し得るように定める。
【００３１】
一方、前記誘導電流発生部４０は、磁石移動管４２内に反発ゴム４８をさらに具備することができる。
【００３２】
前記反発ゴム４８は、移動する移動磁石４６が反発するように磁石移動管４２内の端部に装着される。このような反発ゴム４８は、磁石移動管４２内で動く移動磁石４６が磁石移動管４２の端部に到達して柔らかく反発することができるようにする。
【００３３】
また、前記誘導電流発生部４０は、磁石移動管４２内に固定磁石４９をさらに具備することができる。
【００３４】
前記固定磁石４９は、移動する移動磁石４６を斥力によって押し返すように磁石移動管４２  内の端部に装着される。このような移動磁石４６は、磁石移動管４２内で動く移動磁石４６が磁石移動管４２の端部に到達してふんわりとまた反対の方向に戻っていくようにする。
【００３５】
さらに、前記誘導電流発生部４０は、前記反発ゴム４８と固定磁石４９をともに磁石移動管４２内に構成することができる。
【００３６】
すなわち、反発ゴム４８は移動する移動磁石４６が反発するように磁石移動管４２内の一端部に装着され、固定磁石４９は移動する移動磁石４６を斥力によって押し返すように磁石移動管４２内の他端部に装着される。
【００３７】
これによって、上下移動する移動磁石４６が、磁石移動管４２の一端部に到達した時は反発ゴム４８によって、そして他端部に到達した時は固定磁石４９によって柔らかく反発することができる。
【００３８】
このように構成される誘導電流発生部４０によって発生した誘導電流は、発光部６０で光を発するように発光部６０に供給される。
【００３９】
前記発光部６０は、誘導電流発生部４０と電気的に連携して前記誘導電流によって光を発するように構成される。電気的な連携と発光部６０の具体的に構成は、本発明によって限定されず、前記光が誘導電流によって発するように構成される従来の回路等の部品を活用することができる。
【００４０】
さらに、発光部６０は、ＬＥＤ素子で構成することが好ましい。前記ＬＥＤ素子は交換なしに長期間使用することができ、必要な多様な色相を具現することができる。
【００４１】
一方、本発明は、磁石移動管４２の両端部に対応する本体１０の両端部それぞれには、釣糸２００または疑餌針１００’が連結されるように連結用の輪２２が形成される。
【００４２】
前記のように発光モジュール１０は、発光部６０に必要な電源を誘導電流発生部４０から誘導電流として供給を受けることで、消耗する電池のような別途の部品なしにすなわち消耗しない誘導電流形態で半永久的に電源の供給を受けることができる。併せて、使用する過程でも消耗したり故障による電池交換のような煩わしさから解放されて容易に使用することができる。
【００４３】
このような発光モジュール１０は、疑餌針１００、１００’に活用され、図２及び図３を参照して説明することにする。ここで、同じ参照番号を付した構成要素は、図が互いに異なっても同じ構成要素を示す。
【００４４】
図２は、本発明の好ましい実施例による自給電源式発光疑餌針を示した図である。
【００４５】
図１及び図２を参照すると、本発明の自給電源式発光疑餌針１００は、発光モジュールを内部に具備した釣り針本体１２０と、前記釣り針本体１２０に装着された釣り針１４０を含む。
【００４６】
ここで、前記発光モジュールは、誘導電流が発生するように釣り針本体１２０に構成された誘導電流発生部４０と、前記誘導電流発生部４０と電気的に連携して前記誘導電流によって光を発する発光部６０とを具備する。
【００４７】
ここで、前記誘導電流発生部４０は、釣り針本体１２０内に配置された磁石移動管４２と、前記磁石移動管４２の外部に設置されたコイル４４、及び磁石移動管４２に沿ってその内部で移動する移動磁石４６とを有し、その構造及び形状に対しては上述したのと同じであるので省略することにする。
【００４８】
同時に、上述の反発ゴム４８と固定磁石４９が磁石移動管４２に構成され得ることは、もちろんである。
【００４９】
前記のように構成される自給電源式発光疑餌針１００は、釣り針本体１２０内部に発光モジュールが構成されることによって、操業活動に全く影響を与えずに光を出すことができる長所を有する。
【００５０】
図３は、本発明の好ましい他の実施例による自給電源式発光疑餌針を示した図である。
【００５１】
図１及び図３を参照すると、本発明の自給電源式発光疑餌針１００’は、釣り針本体１２０’と、前記釣り針本体１２０’の下部に装着された釣り針１４０、及び前記釣り針本体１２０’の上部または前記釣り針１４０の下部に設置された発光モジュール１０とを含む。
【００５２】
ここで、前記発光モジュール１０は、本体１０と、誘導電流が発生するように前記本体１０に構成される誘導電流発生部４０、及び前記誘導電流発生部４０と電気的に連携して前記誘導電流によって光を発する発光部６０とを含む。
【００５３】
ここで、前記誘導電流発生部４０は、本体１０内に配置された磁石移動管４２と、前記磁石移動管４２の外部に設置されたコイル４４、及び前記磁石移動管４２に沿ってその内部で移動する移動磁石４６とを有し、その構造及び形状に対しては上述したのと同じであるので省略することにする。
【００５４】
同時に、上述された反発ゴム４８と固定磁石４９が磁石移動管４２に構成され得ることは、もちろんである。
【００５５】
前記のように構成された自給電源式発光疑餌針１００’は、釣り針１４０が損傷したり古くなった場合、発光モジュール１０はそのままで、釣り針１４０のみを交換して使用できる長所を有する。
【００５６】
以上のように、本発明は限定された実施例と図面によって説明したが、本発明はこれによって限定されず、本発明が属する技術分野で通常の知識を有した者によって本発明の技術思想と下記に記載する特許請求の範囲の均等範囲内で多様な修正及び変形が可能であることは、もちろんである。
【図１】
2013534420.tif 000003
【図２】
2013534420.tif 000004
【図３】
2013534420.tif 000005
【国際調査報告】
2013534420.tif 000006
2013534420.tif 000007
2013534420.tif 000008
2013534420.tif 000009